(57)【要約】【課題】  同一の幅でも形成される水路の幅を可及的に広くすることができると共に、施工性を向上させることができ、更に、蓋のガタツキを防止することのできる安価な水路用ブロックを提供する。【解決手段】  水路用ブロック１０に、所定距離離間し略並行に配置された側壁１１と、側壁１１の上部同士を連結する天板１２とを具備し、側壁部１１を、その内壁面に、長手方向に延びると共に水路側に突出し蓋１３を支持するための突出部１５と、突出部１５から下方に延びる複数のリブ１８とを備え、且つ、外壁面が略垂直な平坦面とすると供に、左右の側壁１１の天板１２で連結されていない部分に、蓋１３により閉鎖可能な開口部１４を備える。【選択図】        図１
2005325614.tif 000002
【特許請求の範囲】
【請求項１】
所定距離離間し略並行に配置して水路を形成するための側壁を具備した水路用ブロックであって、
前記側壁は、
水路側に対向する内壁面に、長手方向に延びると共に水路側に突出し蓋を支持するための突出部と、該突出部から下方に延びる複数のリブとが備えられ、且つ、内壁面とは反対側の外壁面が略垂直な平坦面とされていることを特徴とする水路用ブロック。
【請求項２】
所定距離離間し略並行に配置された前記側壁の上部同士を連結する天板を更に具備し、
前記側壁の前記天板で連結されていない部分に、蓋により閉鎖可能な開口部を備えることを特徴とする請求項１に記載の水路用ブロック。
【請求項３】
前記突出部は、
その上面から前記内壁面に続く断面形状が凹状の曲面形状に形成された蓋支持部が備えられていることを特徴とする請求項１又は請求項２に記載の水路用ブロック。
【請求項４】
前記リブは、
前記突出部から下方に向かうに従って前記内壁面に埋没する形状とされていることを特徴とする請求項１から請求項３までの何れか一つに記載の水路用ブロック。
【発明の詳細な説明】
【技術分野】
【０００１】
本発明は、水路を形成する水路用ブロックに関するもので、特に、道路などの側溝に用いる水路用ブロックに関するものである。
【背景技術】
【０００２】
従来より、側溝など水路を形成する水路用ブロックとしては、左右に配置された側壁の下部同士を底板で連結した断面Ｕ字状のものや、左右に配置された側壁の上部同士を天板で連結した断面門型状のものなどがあり、それらの上部には開口が形成されており、蓋を嵌めることで開口部を閉鎖するものが知られている。
【０００３】
図６は、従来の水路用ブロックとして、断面門型状のものを示したもので、この水路用ブロック１００は、所定距離離間し略並行に配置された一対の側壁１０１と、それら側壁１０１の上部同士を連結する天板１０２とで構成されている。図示するように、天板１０２は、水路用ブロック１００の長手方向両端に設けられており、これら天板１０２の間は矩形状に開口する開口部１０３が形成されている。
【０００４】
側壁１０１上部の開口部１０３に位置する部分には、蓋１０４を支持するための段差状の蓋支持部１０５が設けられており、この蓋支持部１０５に蓋１０４を載置して支持させることで開口部１０３が蓋１０４により閉鎖されるようになっている。なお、この例では、二つの蓋１０４で開口部１０３が閉鎖される大きさとされている。
【０００５】
また、側壁１０１は、その内壁面が略平坦な面であるのに対し、その外壁面は上部付近が外方に突出し、長手方向の両端部と中央部に所定の幅で上部の外方に突出した面と同一面が側壁１０１の下端部まで延びている。これにより、側壁１０１の外壁面は、所定範囲が窪んだ形状となっている。
【０００６】
出願人は、本願出願時において、以上の従来技術が記載されている文献を特に知見していない。
【発明の開示】
【発明が解決しようとする課題】
【０００７】
しかしながら、従来の水路用ブロック１００は、図６（Ｂ）に断面で示すように、蓋１０４に自動車などが載って大きな荷重がかかっても側壁１０１が耐えられるように、蓋支持部１０５の真下に側壁１０１を位置させていた。つまり、左右の蓋支持部１０５間の幅ｗ２と、水路の幅ｗ３とが同じ幅となっており、水路用ブロック１００の全幅ｗ１の割には、水路の幅ｗ３が狭いものとなっていた。そのため、水路の流量が少ないものとなっていた。
【０００８】
また、従来の水路用ブロック１００は、水路用ブロック１００を埋設して設置する際に、側壁１０１の外壁面が窪んだ形状となっているので、土や砂利等の埋設用材を多く必要とする他、窪んだ部分に埋設用材を確実に詰めるのに手間がかかっていた。なお、従来の水路用ブロック１００の外壁面の窪みを廃止して、外壁面を平坦面とすることも考えられるが、その場合、側壁の厚みが厚くなり、コンクリートなどの材料が多く必要となる上、コンクリートの乾燥時間も長くなるなどの問題がある。
【０００９】
さらに、従来の水路用ブロック１００は、蓋支持部１０５が水平な面で構成されているので、水路用ブロック１００の製造上の誤差等により、載置支持する蓋１０４がガタツク問題があった。また、蓋支持部１０５上に土や小石等の異物が載り易く、異物によっても蓋１０４がガタツク問題があった。そして、蓋１０４がガタツクことで騒音が発生していた。
【００１０】
そこで、本発明は、上記の実情に鑑み、同一の幅でも形成される水路の幅を可及的に広くすることができると共に、施工性を向上させることができ、更に、蓋のガタツキを防止することのできる安価な水路用ブロックの提供を課題とするものである。
【課題を解決するための手段】
【００１１】
本発明に係る水路用ブロックは、「所定距離離間し略並行に配置して水路を形成するための側壁を具備した水路用ブロックであって、前記側壁は、水路側に対向する内壁面に、長手方向に延びると共に水路側に突出し蓋を支持するための突出部と、該突出部から下方に延びる複数のリブとが備えられ、且つ、内壁面とは反対側の外壁面が略垂直な平坦面とされている」構成とするものである。
【００１２】
ここで、水路用ブロックとしては、天板や底板とは別体となった側壁のみからなるもの、二つの側壁と底板とからなる断面Ｕ字状のもの、二つの側壁と天板とからなる断面門型状のもの等の他、縁石、土留、車止め等を一体に備えたものなどを例示することができる。また、リブとしては、側壁の下部まで延びるものや、下方に向かうに従って側壁に埋没するものなどを例示することができ、その断面形状は、半円形状、台形状、矩形状等を例示でき、水路内の水などの流動抵抗が低くなる形状が望ましい。
【００１３】
本発明によると、水路を形成する側壁の内壁面から蓋を支持する突出部を突出させた上でリブにより補強しているので、突出部や側壁が蓋からの大きな荷重に充分に耐えることが可能となる。そして、この側壁により形成される水路の幅は、突出部同士の間の幅よりも広くなり、従来の水路用ブロック１００と比較して、その全幅に対する水路の幅を可及的に広くすることができ、従来と同じ幅でも水路の流量を多くすることができる。
【００１４】
また、リブを備えたことで、側壁の強度を向上させることができるので、従来に比べて側壁の厚さを薄くすることが可能となり、これにより水路の幅をさらに広くすることができる他に、側壁を形成するコンクリートなどの材料を少なくすることができ、コストを低減させたり、コンクリートなどの材料の乾燥時間を短縮させたりすることができる。
【００１５】
さらに、本発明によると、側壁の外壁面を平坦面としているので、水路用ブロックを埋設して設置する際に、設置用の溝と外壁面との間に詰められる土や砂利等の埋設用材の量を従来と比べて少なくすることができると共に、外壁面に窪みがないので埋設用材を容易に詰め固めることができ施工性の優れたものとすることができる。
【００１６】
また、従来の水路と同じ流量ならば、その幅を小さくすることができるので、水路用ブロックを設置するために掘る溝の幅を狭くすることができるので、水路を構築する際の工事の規模を小さくすることができる。
【００１７】
本発明に係る水路用ブロックは、上記の構成に加えて、「所定距離離間し略並行に配置された前記側壁の上部同士を連結する天板を更に具備し、前記側壁の前記天板で連結されていない部分に、蓋により閉鎖可能な開口部を備える」構成とすることもできる。
【００１８】
本発明によると、側壁の上部同士を天板で連結し、天板のない部分を蓋で閉鎖可能な開口部としたもので、つまり、本発明の水路用ブロックを断面門型状のものとするものである。ここで、断面門型状の水路用ブロックは、水路を施工する時に底板を構築するもので、水路用ブロックの上面に対して底面の角度を自由に設定して、所望の底面の角度を有した水路を容易に構築することができるものである。これにより、上記と同様の効果を奏すると共に、断面門型状の水路用ブロックの汎用性を更に高めることができる。
【００１９】
本発明に係る水路用ブロックは、上記の構成に加えて更に、「前記突出部は、その上面から前記内壁面に続く断面形状が凹状の曲面形状に形成された蓋支持部が備えられている」構成とするものである。
【００２０】
本発明によると、蓋支持部を断面が凹状の曲面形状とするもので、これにより、例えば、蓋の蓋支持部と接触する部分の形状を、蓋支持部の曲面形状と略相似の断面が凸状の曲面形状とした場合、蓋支持部と蓋とは線状の面接触となり、蓋からの荷重が分散されるので突出部にかかる鉛直方向の力を低減させることができると供に、密着性が向上し、蓋のガタツキを防止することができる。或いは、従来のように断面矩形状の蓋を用いた場合、蓋支持部と蓋が線状に面接触するので蓋が安定して支持され、蓋のガタツキを防止することができる。そして、蓋のガタツキを防止することで騒音の発生を防止することができる。
【００２１】
また、蓋支持部が凹状の曲面形状とされているので、蓋支持部には平面部分がなく、土や小石等の異物が載り難く、蓋支持部と蓋との間に異物が挟まって、蓋がガタツクのを防止することができる。
【００２２】
本発明に係る水路用ブロックは、上記の構成に加えて更に、「前記リブは、前記突出部から下方に向かうに従って前記内壁面に埋没する形状とされている」構成とするものである。
【００２３】
本発明によると、内壁面のリブの突出が下方に向かうに従って小さくなり、水路の底面付近では、内壁面からリブが突出していない状態とすることができる。これにより、水路内の水等を流れ易くすることができる。
【発明の効果】
【００２４】
上記のように本発明によると、同一の幅でも形成される水路の幅を可及的に広くすることができると共に、施工性を向上させることができ、更に、蓋のガタツキを防止することのできる安価な水路用ブロックを提供することができる。
【発明を実施するための最良の形態】
【００２５】
以下、本発明を実施するための最良の形態である水路用ブロックについて、図１及び図２に基づき詳細に説明する。図１（Ａ）は本発明の一実施形態である水路用ブロックを蓋と供に示す分解斜視図であり、（Ｂ）は（Ａ）の水路用ブロックをその長手方向に対して直角方向に切断した断面図である。また、図２は、図１の水路用ブロックを長手方向に切断した断面図である。
【００２６】
図１（Ａ）に示すように、本実施形態の水路用ブロック１０は、所定距離離間し略並行に配置された一対の側壁１１と、側壁１１の上部同士を連結する天板１２とから構成されている。天板１２は、側壁１１の長手方向両端部に所定長さ備えられており、天板１２で連結されていない長手方向中央の上面には、矩形状に開口し蓋１３により閉鎖可能な開口部１４が備えられている。
【００２７】
この水路用ブロック１０における側壁１１の外壁面は、略垂直な平坦面とされている。なお、本例の水路用ブロック１０の開口部１４は、二つの蓋１３により閉鎖可能とされており、開口部１４及び水路用ブロック１０の長さは、それに対応した長さとなっている。
【００２８】
水路用ブロック１０の側壁１１には、水路を形成する内壁面の上部近傍に、長手方向に延びると共に水路側に突出する突出部１５が備えられている。そして、開口部１４が形成されている位置における突出部１５には、図１（Ｂ）に示すように、その上面から内壁面に続く断面形状が凹状の曲面形状に形成された蓋支持部１６が備えられている。なお、蓋支持部１６の下端にはせぎり部１７が形成されている。
【００２９】
また、側壁１１の内壁面には、図２に示すように、開口部１４が形成されている位置において、突出部１５から下方に延びる複数のリブ１８が備えられている。このリブ１８は、図示するように、水路用ブロック１０の長手方向に対して、開口部１４に嵌められる夫々の蓋１３の略中央に位置するように備えられている。また、リブ１８は、断面が略半円形状をなし、突出部１５から下方に向かうに従って内壁面に埋没する形状とされている（図１（Ｂ）参照）。
【００３０】
これにより、水路用ブロック１０は、図１（Ｂ）に示すように、蓋１３を支持するための左右の突出部１５間の幅Ｗ２よりも、水路を形成する内壁面間の幅Ｗ３（水路の幅）が広くなっている。つまり、水路用ブロック１０の全幅Ｗ１に対して水路の幅Ｗ３は、左右の側壁１１の厚さ分狭いだけで、従来と比較して可及的に全幅に近い幅となっている。
【００３１】
蓋１３は、図１（Ａ）に示すように、平面視において略矩形状をなすと供に、長手方向一端部の略中央には、所定形状の手掛部１９が形成されている。この蓋１３の左右の側面は、水路用ブロック１０における蓋支持部１６の断面形状と略相似する断面凸状の曲面形状に形成された当接部２０とされており、蓋１３を開口部１４に嵌め込むことで、蓋支持部１６に当接部２０が当接し支持されるようになっている。
【００３２】
なお、図示は省略するが、水路用ブロック１０を設置する際に、水路用ブロック１０同士を位置決めするための、溝や段、係合部などの位置決め手段を備えている。また、本例では、蓋１３を中実のものを示したが、グレーチング等、格子状や網状となった蓋とすることもできる。
【００３３】
続いて、本例の水路用ブロック１０の施工方法について説明する。まず、設置用の溝を掘り、その底面に公知の方法によりコンクリート等を用いて基礎を作る、そして、その基礎の上に、水路用ブロック１０の上面が所定の高さになるように、夫々の高さを調整しながら列設する。次に、水路用ブロック１０の開口部１４から所定量のコンクリートを流し込み、底板、すなわち、水路の底面を形成する。このとき、水路の底面が所望の傾斜角度となるように、コンクリートを流し込む。
【００３４】
その後、コンクリートが硬化したら、設置用の溝と水路用ブロック１０の外壁面との間に、土や砂利等の埋設用材を詰めると供に、押し固める。このとき、水路用ブロック１０の外壁面が平坦面となっているので、埋設用材を垂直方向に押し固めるだけで済み、埋設作業を容易に行うことができる。そして、水路用ブロック１０を埋設用材である程度埋設したら、アスファルト等の仕上げ材で水路用ブロック１０の上面まで埋設し、その上面を仕上げて水路用ブロック１０による水路が完成する。
【００３５】
このように、本実施形態の水路用ブロック１０によると、蓋１３を支持する蓋支持部１６を側壁１１の内壁面から突出させた突出部１５に備えているので、従来の水路用ブロック１００と比較して、その全幅Ｗ１に対する水路の幅Ｗ３を可及的に広くすることができ、従来と同じ幅でも水路の流量を多くすることができる。
【００３６】
また、リブ１８を備えているので、側壁１１や突出部１５の強度を向上させることが可能となり、蓋１３に自動車等が載って大きな荷重がかかっても、水路用ブロック１０が破損することがなく、また、側壁１１の厚さを薄くすることができるので、側壁１１を形成する材料を少なくすることが可能となり、コストを低減させることができる。
【００３７】
さらに、蓋支持部１６を断面が凹状の曲面形状とすると供に、蓋支持部１６と当接する蓋１３の当接部２０を蓋支持部１６の曲面形状と略相似の断面が凸状の曲面形状としているので、蓋支持部１６と当接部２０とが線状に面接触してその密着性が向上し、蓋１３のガタツキが防止され、ガタツキによる騒音等の発生が防止される。また、曲面形状に当接するので、蓋１３からの荷重が分散され、突出部１５にかかる鉛直方向の力を低減させることが可能となる。
【００３８】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００３９】
すなわち、本実施形態の水路用ブロック１０では、下方に向かうに従って側壁１１の内壁面に埋没する形態のリブ１８を示したが、これに限定するものではなく、例えば、図３に示すように、側壁１１の内壁面に埋没せずに、側壁１１の下部まで延びる形態のリブ２１とすることもできる。これにより、側壁１１の強度をより向上させることができる。なお、同図では、図１の実施例と同様の構成のものについては、同じ符号を付し説明は省略する。
【００４０】
また、本実施形態では、一つの蓋１３に対して一つのリブを対応させたものを示したが、これに限定するものではなく、一つの蓋１３に対して複数のリブを対応させても良く、リブを増やすことで強度を向上させたり、一つ当たりのリブの大きさを小さくして水路を流れる水等の抵抗を低減させることができる。
【００４１】
また、本実施形態では、リブ１８の断面形状が半円形状のものを示したが、これに限定するものではなく、例えば、図４に示すように、水路を流れる水などに対して、その流動抵抗が低くなるような形状のリブ２２としても良い。これにより、水路内にリブ２２を備えても、水路を流れる水などが滞ることなく流れを良好なものとすることができる。
【００４２】
さらに、本実施形態では、二つの蓋１３により閉鎖可能な開口部１４を有した大きさの水路用ブロック１０を示したが、これに限定するものではなく、二つ以上の蓋により閉鎖可能な開口部を有した大きさの水路用ブロックとすることもでき、その大きさや長さは適宜設定することができる。
【００４３】
また、本実施形態では、長手方向の中央部に開口部１４を有した水路用ブロック１０を示したが、これに限定するものではなく、天板を長手方向の中央部に備えるようにして、蓋により閉鎖可能な開口部を長手方向の両端部に有した形態のものでも良い。
【００４４】
さらに、本実施形態では、水路用ブロック１０として、断面門型状のものを示したが、これに限定するものではなく、図５に示すような、断面Ｕ字状の水路用ブロック２３とすることができる。この水路用ブロック２３は、略並行に配置された二つの側壁１１の下部同士を底板２４で連結したものである。なお、上記の実施例と同様の構成については同一の符号を付すと供に説明は省略する。また、これ以外に、天板や底板とは別体となった側壁のみからなるもの等としても良く、更に、縁石、土留、車止め等を一体に備えたものなどとすることもでき、上記と同様の効果を奏することができる。
【図面の簡単な説明】
【００４５】
【図１】（Ａ）は本発明の一実施形態である水路用ブロックを蓋と供に示す分解斜視図であり、（Ｂ）は（Ａ）の水路用ブロックをその長手方向に対して直角方向に切断した断面図である。
【図２】図１の水路用ブロックを長手方向に切断した断面図である。
【図３】本発明の図１とは異なる実施形態の水路用ブロックの一部を切断して示す斜視図である。
【図４】図１乃至図３の例とは異なる断面形状のリブの一例を示す断面図である。
【図５】本発明を断面Ｕ字状の水路用ブロックとした一例を蓋と供に示す分解斜視図である。
【図６】（Ａ）は従来の水路用ブロックを蓋と供に示す分解斜視図であり、（Ｂ）は（Ａ）の水路用ブロックをその長手方向に対して直角方向に切断した断面図である。
【符号の説明】
【００４６】
１０  水路用ブロック
１１  側壁
１２  天板
１４  開口部
１５  突出部
１６  蓋支持部
１８  リブ
２１  リブ
２２  リブ
２３  水路用ブロック
【図１】
2005325614.tif 000003
【図２】
2005325614.tif 000004
【図３】
2005325614.tif 000005
【図４】
2005325614.tif 000006
【図５】
2005325614.tif 000007
【図６】
2005325614.tif 000008